(57)【特許請求の範囲】
【請求項１】
空気銃の弾倉又はチャンバーに弾丸を装填する空気銃用弾丸装填具であって、
内部が複数の弾丸を直列に充填し得る弾丸充填部であり、かつその周側部に長さ方向に沿ったスリットを開口した円筒形状の装填具本体と、
上記装填具本体の弾丸充填部に、その中に充填した弾丸を、該装填具本体の一端に開口した弾丸吐出口に向かって押し出すべく、その長手方向に沿って移動自在に内装した弾丸押出部材と、
上記弾丸押出部材に前記スリットを通じて連結した、前記装填具本体の外部に位置するグリップと、
前記装填具本体の弾丸吐出口の直前で弾丸充填部内に突出し、該弾丸充填部に充填されている弾丸の該弾丸吐出口からの吐出を規制すると共に、前記弾丸押出部材の押出操作で押し出される弾丸の進出により変形させられてその吐出を許容する弾力性を備えた弾丸係止部と、
で構成した空気銃用弾丸装填具に於いて、
前記弾丸押出部材を装填具本体の内周に接する径の円柱状の部材に構成し、かつ該弾丸押出部材の先端部に、最後の一個の弾丸を弾丸吐出口から押し出し吐出させる際に、該先端部が前記弾丸係止部に衝突してその進出を阻害されることがないように、切欠段差部を設けた空気銃用弾丸装填具。
【発明の詳細な説明】
【０００１】
【発明の属する技術分野】
本発明は空気銃用弾丸装填具に関するものである。更に詳述すれば本発明は空気銃の弾倉又はチャンバーに弾丸を変形や傷を発生させることなく容易に装填することができる空気銃用弾丸装填具に関するものである。
【０００２】
【従来の技術】
空気銃の弾丸２１は鉛又は鉄で形成され、図９に示すように、その先端頭部２１ａは略球状であり、これに続く胴部２１ｂは後方に向かって拡大する略円錐体である。弾丸２１はこのような構成にすることにより飛行の際の空気抵抗を小さくしている。また弾丸２１は以上のように完全に軸対称になっており、この軸を中心に一定方向に回転しながら標的に直進することが可能になっている。
【０００３】
一般的な空気銃の弾倉２２は、図６〜図８に示すように、正面又は裏面から見て円環状の弾倉本体２２ａと、その周側に沿って円弧状に配列された複数の弾丸装填孔２２ｂ、２２ｂ…と、上記弾倉本体２２ａの周側に定間隔で形成したラチェット溝２２ｃ、２２ｃ…と、上記弾倉本体２２ａの周側中央に一周に渡って形成した周溝２２ｄに装入した弾丸係止用の弾性Ｏリング２２ｅとで構成されているものである。
【０００４】
前記弾丸装填孔２２ｂ、２２ｂ…は、それぞれ対応する部位に於いて、図８に示すように、前記弾倉本体２２ａの正面側から裏面側に貫通する円形貫通孔に形成されており、各々の弾丸装填孔２２ｂ、２２ｂ…の周側中間部に前記周溝２２ｄが開口している。該周溝２２ｄに装入した弾性Ｏリング２２ｅの対応する部位が、図６及び図８に示すように、上記開口から各弾丸装填孔２２ｂ中に進出し、弾丸２１をこの位置に保持する弾性の係止部を構成するようになっている。
【０００５】
前記ラチェット溝２２ｃ、２２ｃ…は、前記弾倉２２を対応する空気銃にセットして使用する際、駆動用の爪がこれに係止しつつ作用力を加えることにより、該弾倉２２を１ピッチづつ回転させ得るようになっているものである。即ち、該弾倉２２の対応する弾丸装填孔２２ｂの弾丸２１が空気銃の所定の押込手段によってチャンバーに装填され、これがチャンバーから発射された後、所定の操作により、前記駆動用の爪が動作して、上記のように、該弾倉２２が１ピッチ回転することとなっている訳である。こうしてチャンバーの直前に弾丸２１の装填されている弾丸装填孔２２ｂがまた位置することとなり、その弾丸２１が所定の押込手段で再度該チャンバーに装填可能となるようになっている。
【０００６】
弾倉には、上記のような取り外しのできるタイプと、そうでないタイプのものとがあるが、基本的な構成は同じである。
また単発銃タイプの空気銃の場合は、上記のような弾倉はないので、銃の側部に開いている導入部に弾丸２１を正しい向きで装入し、これを空気銃所定の押込手段でチャンバーに直接に押込装填するようになっている。
【０００７】
現在までのところ前記のような着脱自在な弾倉２２、取り外しできないタイプの弾倉、または弾倉のない単発銃タイプがあるが、いずれにしてもそれらの弾丸装填孔又はチャンバーに弾丸を装填するために使用する適当な補助手段は存在していない。それ故手作業で一つ一つ装填しているのが実情である。
【０００８】
前記弾倉２２の弾丸装填孔２２ｂ、２２ｂ…に弾丸２１を装填する場合は、該弾倉２２の正面側を上に向けた上で、例えば、その一端側の弾丸装填孔２２ｂから装填を開始する。前記のように、適当な装填補助手段は存在していないので、容器中の弾丸２１を手指で掴んで拾い出し、その先端頭部２１ａから該弾丸装填孔２２ｂに装填する。このとき、弾丸２１は、小さなものであり、その向きを手指で揃えるのに手間が掛かり、これを一個づつ弾丸装填孔２２ｂ、２２ｂ…に装填してゆくのは煩わしいものである。またこのように要領よく装填ができずに、無理に押し込もうとしたりしていると、弾丸２１に傷を付けたり、変形を引き起こす恐れもある。云うまでもなく、弾丸２１に傷や変形を生じさせると、正しく装填してもこれが直進性を失ってしまうと言う重大な問題も提起する。
【０００９】
以上のような弾丸２１の装填に於ける問題は、とりわけ冬季にフィールドでその操作を行う場合に顕在化し、寒さで凍えた手指で行う場合により困難となる。特に単発銃の場合は、弾丸２１を導入用の開口部に向きを正しく挿入し、これを銃所定の押込手段でチャンバーに押込装填する訳であるが、その挿入がかじかんだ手指では思うようにいかないのが普通である。上記のような単発銃の場合は、このように弾丸２１の装填に手間と時間を掛けているうちに弾丸発射のタイミングを逃してしまうおそれもある。
【００１０】
なお前記弾倉２２に於いては、前記のようにして弾丸装填孔２２ｂに弾丸２１を押し込むと、該弾丸２１は、その先端頭部２１ａが該弾丸装填孔２２ｂ中に進出している弾性Ｏリング２２ｅの該当部位を押し戻しながら進入し、図８に示すように、該弾性Ｏリング２２ｅに先端頭部２１ａと胴部２１ｂの境界付近が係止され、該弾丸装填孔２２ｂ中に保持された状態になる。これは着脱できないタイプの弾倉の場合も同様である。
【００１１】
【発明が解決しようとする課題】
本発明は、以上のような従来の問題点を解決し、弾丸に傷や変形を発生させることなく、冬季の野外で、かじかんだ手指でも簡単に操作でき、弾丸を簡単にしかも素早く弾倉又は銃のチャンバーに装填することが可能な空気銃用弾丸装填具を提供することにある。
【００１２】
【課題を解決するための手段】
本発明は、空気銃の弾倉又はチャンバーに弾丸を装填する空気銃用弾丸装填具であって、
内部が複数の弾丸を直列に充填し得る弾丸充填部であり、かつその周側部に長さ方向に沿ったスリットを開口した円筒形状の装填具本体と、
上記装填具本体の弾丸充填部に、その中に充填した弾丸を、該装填具本体の一端に開口した弾丸吐出口に向かって押し出すべく、その長手方向に沿って移動自在に内装した弾丸押出部材と、
上記弾丸押出部材に前記スリットを通じて連結した、前記装填具本体の外部に位置するグリップと、
前記装填具本体の弾丸吐出口の直前で弾丸充填部内に突出し、該弾丸充填部に充填されている弾丸の該弾丸吐出口からの吐出を規制すると共に、前記弾丸押出部材の押出操作で押し出される弾丸の進出により変形させられてその吐出を許容する弾力性を備えた弾丸係止部と、
で構成した空気銃用弾丸装填具に於いて、
前記弾丸押出部材を装填具本体の内周に接する径の円柱状の部材に構成し、かつ該弾丸押出部材の先端部に、最後の一個の弾丸を弾丸吐出口から押し出し吐出させる際に、該先端部が前記弾丸係止部に衝突してその進出を阻害されることがないように、切欠段差部を設けた空気銃用弾丸装填具である。
【００１５】
【発明の実施の形態】
発明の実施の形態を、以下に参考例と実施例に基づいて図面を参照しながら詳述する。
【００１６】
＜参考例＞
図１は、参考例の空気銃用弾丸装填具の概略側面断面図で、図２はその概略正面図である。
【００１７】
この参考例の空気銃用弾丸装填具は、図１に示すように、装填具本体１と、該装填具本体１の後端を閉じた底蓋２と、上記装填具本体１の弾丸充填部３内にその長手方向に沿って移動自在に配した弾丸押出部材４と、該弾丸押出部材４に連結棒５を介して結合したグリップ６と、前記装填具本体１の前記底蓋２と反対側の端部の開口部、即ち、弾丸吐出口７の直前に配した弾丸係止部８と、前記弾丸充填部３内の弾丸押出部材４から外部に突き出した連結棒５が該装填具本体１の長手方向に自在に移動できるように開口したスリット９とで構成したものである。
【００１８】
前記装填具本体１は、図１に示すように、円筒形状であり、その内部の弾丸充填部３に複数の弾丸２１、２１…を縦列に充填保持することが可能な長さのものとする。図１中では、６個の弾丸２１、２１…が充填された空気銃用弾丸装填具が描かれているが、作図上の都合であり、実際には、携帯上及び操作上の都合がが付く限り多数個の弾丸２１、２１…が充填できる長さとするのが好ましい。
【００１９】
該装填具本体１は、その材質は特定のそれである必要はないが、これに外力が加えられてもその内部の弾丸充填部３に充填されている弾丸２１、２１…に変形を生じさせないような強度を有する金属又はプラスチック等が好ましい。またその内径は、充填対象とする弾丸２１の外径に合わせて適宜決定することができるのは云うまでもない。
【００２０】
前記弾丸押出部材４は、円柱形状の部材であり、既述のように、前記弾丸充填部３内にその長手方向に沿って移動自在に装入されている。その周側部には前記連結棒５が結合しており、先に述べたように、前記スリット９を通じて外部に突出したその外端にはグリップ６が取り付けられている。
【００２１】
従ってこの弾丸押出部材４は、上記グリップ６を用いて弾丸充填部３内をその長手方向に沿って自由に移動操作することが可能であり、該弾丸充填部３内の弾丸２１をこれによって前記弾丸吐出口７から押し出し吐出させることができる。
【００２２】
なお前記グリップ６は、この参考例では、球状に構成したが、直方体でも不都合はなく、要するに使い勝手が良ければどのような形状でも差し支えない。
【００２３】
前記スリット９は、前記弾丸押出部材４にグリップ６を結合する連結棒５が装填具本体１の長手方向に沿って移動できるようにするものであり、当然、その幅は該連結棒５の径を越えるものでなければならない。またその長さ方向の構成に関しては、該弾丸押出部材４を、その後端が前記底蓋２に当接するまで、その前端が最後の一個の弾丸２１を弾丸吐出口７から吐出させるまで、それぞれ移動させるべくグリップ６を移動させた際に連結棒５が必要とする移動範囲をカバーし得るものである必要がある。具体的には、図１に示した通りである。
【００２４】
前記弾丸係止部８は、図１及び図２に示すように、先端の弾丸吐出口７の直前に装填具本体１の長さ方向と直交する向きに形成した溝部８ａと、これにその一部を嵌入させた係止用Ｏリング８ｂとで構成したものである。上記溝部８ａは、図１に示すように、この参考例では、前記スリット９の弾丸吐出部７側への仮装延長線を中心とし、これに直交する向きに形成したものである。また前記係止用Ｏリング８ｂは、弾力性を有するゴム製のそれを採用したものである。
【００２５】
そのため前記係止用Ｏリング８ｂは、この溝部８ａにその一部を嵌入させると、図１及び図２に示すように、装填具本体１に巻き付けた状態となり、該溝部８ａに嵌入させた部分は、該装填具本体１の弾丸充填部３内に若干入り込んで直線状態になる。その直線状態の部分が、図１に示すように、先頭の弾丸２１の弾丸吐出口７側への自由な移動を規制する役割を担当するものである。該係止用Ｏリング８ｂは、既述のように、弾力性を有するものであるから、前記弾丸押出部材４を押出移動させて、先頭の弾丸２１を該弾丸吐出口７側に移動させようとすると、その力によって周方向に後退し、該弾丸２１の吐出移動を許容するものでもある。
【００２６】
従って以上の参考例の空気銃用弾丸装填具によれば、弾丸２１に傷や変形を発生させることなく、冬季の野外で、たとえ、かじかんだ手指であっても簡単かつ素早くこれを操作して、弾丸２１を弾倉２２の弾丸装填孔２２ｂ、２２ｂ…又は銃のチャンバーに装填することが可能となるものである。
【００２７】
この参考例の空気銃用弾丸装填具を使用する場合は、予め、その弾丸充填部３に弾丸２１、２１…を充填しておく必要がある。これは前記弾丸係止部８の係止用Ｏリング８ｂを溝部８ａから取り外して行う。そうした上で、前記弾丸吐出口７を上に向け、ここから弾丸２１、２１…を弾丸充填部３に装入する。装入する弾丸２１は、その先端頭部２１ａを上にし、胴部２１ｂの後端を下にして、後端側から装入する。所定の数の弾丸２１、２１…を装入し終えたら、再度、前記溝部８ａに係止用Ｏリング８ｂを挿入する。
【００２８】
こうして、弾丸２１、２１…は前記グリップ６を操作しない限り上記弾丸係止部８に係止された状態を維持し、前記弾丸吐出口７から吐出することはない。
【００２９】
この参考例の空気銃用弾丸装填具を用いた弾倉２２への弾丸２１、２１…の装填は以下のように行うことができる。
【００３０】
例えば、片方の掌に、弾倉２２を、図６に示すように、弾丸２１を挿入する面を上にして置く。そして他方の手にこの参考例の空気銃用弾丸装填具を持ち、その弾丸吐出口７を装填すべき弾丸装填孔２２ｂに正しく合わせる。次に、グリップ６に親指等を掛けてこれを弾丸吐出口７に向かって移動させる。そうすると、云うまでもなく、弾丸押出部材４が弾丸充填部３内の弾丸２１、２１…を弾丸吐出口７に向かって押し出し移動させることとなり、先端の弾丸２１が先端頭部２１ａ側から吐出されることとなる。
【００３１】
こうして先頭の弾丸２１は弾倉２２の対応する弾丸装填孔２２ｂ上に正しい向きで落下することとなる。このように落下した弾丸２１は弾倉２２をその掌に載せている方の手の指、例えば、親指でそのまま押し込むことにより、正しい向きで、該弾丸装填孔２２ｂに装填されることになる。同様にして、該弾倉２２の他の弾丸装填孔２２ｂ、２２ｂ…にも弾丸２１を装填することができる。
【００３２】
以上に於いて、弾丸２１を弾丸吐出口７から吐出させる際の弾丸係止部８の動作は次の通りである。
前記グリップ６を操作しない状態、即ち、前記弾丸押出部材４を弾丸吐出口７側に押出移動させない状態では、弾丸充填部３の先端に位置する弾丸２１は、既述のように、弾丸係止部８の係止用Ｏリング８ｂに係止され、吐出しないように規制されている。
【００３３】
弾丸２１の装填操作のために、グリップ６を操作し、弾丸押出部材４を弾丸吐出口７側に移動させようとすると、その作用力は後端の弾丸２１から先端の弾丸２１に伝わり、これを弾丸吐出口７から吐出させるように働く。先端の弾丸２１は、既述のように、弾丸充填部３内に突出している係止用Ｏリング８ｂの一部に係止されているが、上記作用力（押出力）が一定のレベルを越えるに至ると、上記のように進出している係止用Ｏリング８ｂを周方向に後退させて弾丸吐出口７側に進出し、ここから吐出されることとなる。
【００３４】
先端の弾丸２１が、以上のように、突出している係止用Ｏリング８ｂを後退させて弾丸吐出口７から出て行くと、このとき、次の弾丸２１も先の弾丸２１が弾丸吐出口７を出て行く速さと略同じ速さで弾丸充填部３内を同方向に移動するが、弾丸係止部８の位置まで進出すると、そこに進出している係止用Ｏリング８ｂに突き当り、この位置で係止されることとなる。
【００３５】
なお、以上の一定のレベルは、使用する係止用Ｏリング８ｂの材質、形成する溝部８ａの深さ、形成する溝部の個数、Ｏリングと弾丸２１との摩擦係数等で決まるが、弾丸２１を無用に変形させない適当なレベルとすることが重要である。このレベルは係止用Ｏリング８ｂの材質を適切なそれに選択することで設定するのが簡単である。
【００３６】
この参考例の空気銃用弾丸装填具は、以上に説明したように用いることにより、弾丸２１を弾倉２２の弾丸装填孔２２ｂに、素早く且つ簡単にしかも傷や変形を生じさせることなく装填することができる。
【００３７】
また単発銃タイプの空気銃のチャンバーに弾丸２１を装填する場合は、銃を一方の手、例えば、左手で掴み、右手でこの実施例１の空気銃用弾丸装填具を持ち、その弾丸吐出口７を銃の側部に開いている弾丸の導入部に正しく対応させる。次にこの状態で、グリップ６を親指等で操作して弾丸吐出口７に向かって移動させ、弾丸充填部３内の弾丸２１、２１…を弾丸押出部材４で弾丸吐出口７に向かって移動させ、先端の弾丸２１をその先端頭部２１ａ側から吐出させることとする。
【００３８】
こうして先頭の弾丸２１は銃の側部に開いている弾丸の導入部中に正しい向きで落下することとなる。このように落下した弾丸２１は、概ね、正しくその内部に装入した状態となるはずであるが、もし一部に傾きがあるような状態の場合は、空気銃用弾丸装填具を持っている方の右手の指等で軽く押す等のことをしてやれば、簡単に正しくその内部に収まった状態となる。この後は、このように弾丸の導入部中に収まった弾丸２１を空気銃所定の押込手段でチャンバー中に押込装填すればよい訳である。
【００３９】
このような単発銃の場合は、冬季の野外で何度も弾丸２１の装填操作をする必要が生じるものであり、前記したように、特別な補助手段なしでは、この装填操作は寒さでかじかんだ手ではなかなかスピーディかつ正確に行うのは困難であり、このような場合に、より一層、この参考例の空気銃用弾丸装填具は有効である。
【００４０】
弾丸２１、２１…をその弾丸充填部３内にセットした空気銃用弾丸装填具を複数本携帯することとすれば、途中でこれへのセットを必要とすることなく、必要個数の弾丸２１、２１…をまかなうことができるので便利である。
【００４１】
なおこの参考例の空気銃用弾丸装填具の装填具本体１には、図１に示すようなキャップ１０を弾丸吐出口側から被せるようにすることができる。この場合、装填具本体１の先端外部に露出している弾丸係止部８の係止用Ｏリング８ｂが被せたキャップ１０を保持する作用を果たすこととなる。このようにキャップ１０を被覆することとすると、そのクリップ１０ａを利用してシャツの胸ポケット等に止めておけるので便利でもある。
【００４２】
＜実施例１＞
図３は、実施例１の空気銃用弾丸装填具の概略側面断面図である。
【００４３】
実施例１の空気銃用弾丸装填具は、弾丸押出部材４の押出端部側の一部に切欠段差部４ａを設けたことのみが参考例と異なる。参考例と同一部分については、同一構成であるため参考例と同一符号を用いている。
【００４４】
上記切欠段差部４ａは、上記のように、弾丸押出部材４の前端側周側部に形成したものであり、その係止用Ｏリング８ｂと対応する部位を対応する分だけ切り欠いて構成したものである。これは、より具体的には、該係止用Ｏリング８ｂが弾丸充填部３の断面を弦のように塞いで形成される弓形の高さを僅かに越えるだけ切り欠いて構成したものである。それ故、前記弾丸押出部材４は最後尾の弾丸２１を押し出す際に、前記切欠段差部４ａが存在することによって前記係止用Ｏリング８ｂに規制されずに、その部位を通過することができ、該弾丸２１を弾丸吐出口７の外まで確実に押し出すことが可能となるものである。
【００４５】
＜実施例２＞
図４は、実施例２の空気銃用弾丸装填具の概略側面断面図、図５はその概略正面図である。
【００４６】
実施例２の空気銃用弾丸装填具は、弾丸係止部８の構成のみが実施例１と異なる。実施例１と同一部分については、同一構成であるため実施例１と同一符号を用いている。
【００４７】
この実施例２の弾丸係止部８は、図４に示すように、先端の弾丸吐出口７の直前に装填具本体１の長さ方向と直交する向きに形成した相互に相対する二つの溝部８ａ、８ａと、これらにその二つの部分を嵌入させた係止用Ｏリング８ｂとで構成したものである。上記溝部８ａ、８ａの内の一方は、図４に示すように、この実施例２では、スリット９の弾丸吐出部７側への仮装延長線を中心とし、これに直交する向きに形成したものであり、他方は、上記のように、これに相対する位置に構成したものである。前記係止用Ｏリング８ｂは、参考例及び実施例１のそれよりやや弱い弾力性を有するゴム製のそれを採用したものである。
【００４８】
そのため前記係止用Ｏリング８ｂは、上記二つの溝部８ａ、８ａにその二つの部分を嵌入させると、図４及び図５に示すように、装填具本体１に巻き付けた状態となり、かつ該溝部８ａ、８ａに嵌入させた部分は、それぞれ該装填具本体１の弾丸充填部３内に若干入り込んで直線状態になる。弾丸吐出口７側から見ると、それぞれ弓の弦のような状態になる。
【００４９】
その直線状態の二つの部分（弓の弦のようになった部分）が、図４に示すように、先頭の弾丸２１の弾丸吐出口７側への自由な移動を規制する役割を担当する。この実施例２の場合は、参考例及び実施例１の場合と異なり、係止用Ｏリング８ｂの相対する二カ所の部分で弾丸２１を係止するものであり、よりバランス良く、確実に弾丸２１を係止することができるものとなる。また該係止用Ｏリング８ｂは、既述のように、適切な弾力性を有するため、先頭の弾丸２１を該弾丸吐出口７側に移動させようとすると、その力によって周方向に後退し、該弾丸２１の吐出移動を許容することとなる。
【００５０】
従って以上の実施例２の空気銃用弾丸装填具によれば、弾丸２１に傷や変形を発生させることなく、冬季の野外で、たとえ、かじかんだ手指であっても簡単かつ素早くこれを操作して、弾丸２１を弾倉２２の弾丸装填孔２２ｂ、２２ｂ…又は銃のチャンバーに装填することが可能となるものである。
【００５１】
なお、この実施例２では、溝部８ａを装填具本体１の円周方向の二カ所に形成したが、これに限らずに三個所以上に形成しても同様の効果を発揮する。弾丸２１の大きさ、形状に応じて適宜決めることが可能である。
【００５２】
【発明の効果】
本発明の空気銃用弾丸装填具によれば、弾丸を空気銃のチャンバー又は弾倉に装填する際、弾丸に傷や変形を発生させることなく簡単にしかも素早くその操作を行うことができるものであり、冬季の手のかじかむ野外での装填操作も確実に行うことができる。また弾丸押出部材が弾丸係止部によってその進出が規制されないので、最後尾の弾丸を弾丸吐出口の外に確実に押し出すことができる。
【図面の簡単な説明】
【図１】  参考例の空気銃用弾丸装填具の概略側面断面図。
【図２】  参考例の空気銃用弾丸装填具の概略正面図。
【図３】  実施例１の空気銃用弾丸装填具の概略側面断面図。
【図４】  実施例２の空気銃用弾丸装填具の概略側面断面図。
【図５】  実施例２の空気銃用弾丸装填具の概略正面図。
【図６】  空気銃の弾倉の概略正面図。
【図７】  空気銃の弾倉の概略側面図。
【図８】  空気銃の弾倉のＡ−Ａ線概略断面図。
【図９】  空気銃の弾丸の概略側面図。
【符号の説明】
１    装填具本体
２    底蓋
３    弾丸充填部
４    弾丸押出部材
４ａ  切欠段差部
５    連結棒
６    グリップ
７    弾丸吐出口
８    弾丸係止部
８ａ  溝部
８ｂ  係止用Ｏリング
９    スリット
１０  キャップ
１０ａ  クリップ
２１  弾丸
２１ａ  先端頭部
２１ｂ  胴部
２２  弾倉
２２ａ  弾倉本体
２２ｂ  弾丸装填孔
２２ｃ  ラチェット溝
２２ｄ  周溝
２２ｅ  弾性Ｏリング
【図１】
0003722764.tif 000002
【図２】
0003722764.tif 000003
【図３】
0003722764.tif 000004
【図４】
0003722764.tif 000005
【図５】
0003722764.tif 000006
【図６】
0003722764.tif 000007
【図７】
0003722764.tif 000008
【図８】
0003722764.tif 000009
【図９】
0003722764.tif 000010